(57)【要約】【課題】速やかに放送波を切り替えることのできる移動体用放送受信装置を提供する。【解決手段】移動体用放送受信装置１は、移動体に搭載された移動体用放送受信装置であって、第１放送波の受信処理を行うことにより第１再生信号を生成する第１放送波処理部１０ａと、第１放送波と同一の内容の第２放送波の受信処理を行うことにより第２再生信号を生成する第２放送処理部１０ｂと、位置情報と、当該位置における第１放送波の受信品質及び第２放送波の受信品質のうち受信品質の良い方とを予め関連付けた受信品質情報を参照し、移動体の位置情報に対応する第１放送波の受信品質及び第２放送波の受信品質を取得する受信品質情報取得部２２と、第１放送波の受信品質及び第２放送波の受信品質のうち、受信品質の良い方に係る再生信号を選択する選択部１１と、選択部１１により選択された一の再生信号に係る音声を再生する再生部と、を備える。【選択図】図１
2019121964.tif 000002
【特許請求の範囲】
【請求項１】
移動体に搭載された移動体用放送受信装置であって、
第１放送波の受信処理を行うことにより第１再生信号を生成する第１放送波処理部と、
前記第１放送波と同一の内容の第２放送波の受信処理を行うことにより第２再生信号を生成する第２放送処理部と、
位置情報と、当該位置における前記第１放送波の受信品質及び前記第２放送波の受信品質のうち受信品質の良い方とを予め関連付けた受信品質情報を参照し、前記移動体の位置情報に対応する前記第１放送波の受信品質及び前記第２放送波の受信品質を取得する受信品質情報取得部と、
前記第１放送波の受信品質及び前記第２放送波の受信品質のうち、受信品質の良い方に係る再生信号を選択する選択部と、
前記選択部により選択された前記一の再生信号に係る音声を再生する再生部と、
を備えることを特徴とする移動体用放送受信装置。
【発明の詳細な説明】
【技術分野】
【０００１】
本発明は、移動体用放送受信装置に関する。
【背景技術】
【０００２】
従来から、同じ番組内容を放送している複数の周波数チャネルを切り替えるネットワークフォロー動作を行うラジオ受信装置が知られている。
【０００３】
例えば、特許文献１には、フォアグラウンドチューナ部と、バックグラウンドチューナ部と、代替放送チャネルチェック部と、ネットワークフォロー実行部とを備えた放送受信装置が開示されている。当該放送受信装置において、代替放送チャネルチェック部は、バックグラウンドチューナ部を用いて、フォアグラウンドチューナ部が受信中の放送チャネルと同じ内容の放送を行っている代替放送チャネルの受信品質のチェックを行う。そして、ネットワークフォロー実行部は、フォアグラウンドチューナ部が受信する放送チャネルを、所定の契機で、代替放送チャネルチェック部がチェックした受信品質が良好である代替放送チャネルに切り替える。
【先行技術文献】
【特許文献】
【０００４】
【特許文献１】特開２０１７−８５１９８号公報
【発明の概要】
【発明が解決しようとする課題】
【０００５】
しかしながら、従来の構成では、バックグラウンドチューナ部による代替放送チャネルの受信品質のチェックを実行した後、フォアグラウンドチューナ部で受信している放送チャネルの受信品質と代替チャネルの受信品質とを比較した上で、ネットワークフォローを実行する。そのため、放送チャネルを速やかに切り替えることが困難である。
【０００６】
そこで、本発明は、速やかに放送波を切り替えることのできる移動体用放送受信装置を提供することを目的とする。
【課題を解決するための手段】
【０００７】
本発明の一態様に係る移動体用放送受信装置は、移動体に搭載された移動体用放送受信装置であって、第１放送波の受信処理を行うことにより第１再生信号を生成する第１放送波処理部と、第１放送波と同一の内容の第２放送波の受信処理を行うことにより第２再生信号を生成する第２放送処理部と、位置情報と、当該位置における第１放送波の受信品質及び第２放送波の受信品質のうち受信品質の良い方とを予め関連付けた受信品質情報を参照し、移動体の位置情報に対応する第１放送波の受信品質及び第２放送波の受信品質を取得する受信品質情報取得部と、第１放送波の受信品質及び第２放送波の受信品質のうち、受信品質の良い方に係る再生信号を選択する選択部と、選択部により選択された一の再生信号に係る音声を再生する再生部と、を備える。
【０００８】
この態様によれば、速やかに放送波を切り替えることができる。
【発明の効果】
【０００９】
本発明によれば、速やかに放送波を切り替えることのできる移動体用放送受信装置を提供することができる。
【図面の簡単な説明】
【００１０】
【図１】移動体用放送受信装置１の概略構成図である。
【図２】受信品質情報の一例を示す図である。
【図３】移動体用放送受信装置１による動作フローを説明するための図である。
【発明を実施するための形態】
【００１１】
添付図面を参照して、本発明の好適な実施形態について説明する。（なお、各図において、同一の符号を付したものは、同一又は同様の構成を有する。）
【００１２】
（１）移動体用放送受信装置１の構成
図１は、本発明の第１実施形態に係る移動体用放送受信装置１の概略構成図である。移動体用放送受信装置１は、アンテナ２ａ、２ｂ、２ｃ、２ｄと、ＡＭラジオ放送処理部１０ａと、ＦＭラジオ放送処理部１０ｂと、選択部１１と、オーディオ処理部１２と、スピーカ１３と、ＤＣＭ（Ｄａｔａ  Ｃｏｍｍｕｎｉｃａｔｉｏｎ  Ｍｏｄｕｌｅ）１４と、記憶部１５と、表示部１６と、操作部１７と、位置情報取得部１８と、制御部１９とを備える。移動体用放送受信装置１は、移動体に備えることのできる放送受信装置である。ここで、移動体とは、例えば、車両や自動二輪車や自転車などあらゆる任意の移動体を指す。
【００１３】
ＡＭラジオ放送処理部１０ａは、第１放送処理部の一例である。ＡＭラジオ放送処理部１０ａは、アンテナ２ａを介して、制御部１９から指令に応じた所定の周波数チャネルのＡＭラジオ放送の信号を受信し、所定の処理を行い、当該ＡＭラジオ放送に係る再生画面を生成し、選択部１１に出力する。ＡＭラジオ放送処理部１０ａは、例えば、不図示の検波部及び復調部等を備える。検波部は、アンテナ２ａから入力された信号を受け、当該信号に対して検波処理を行うことにより検波信号を生成し、検波信号を復調部に出力する。復調部は、検波部から入力された検波信号を受け、当該検波信号に対して復調処理を行い、生成された再生信号を選択部１１に出力する。また、ＡＭラジオ放送処理部１０ａは、受信するＡＭラジオ放送波の電界強度やＳＮ比等の受信品質に係る情報を受信品質情報として制御部１９に出力する。
【００１４】
ＦＭラジオ放送処理部１０ｂは、第２放送処理部の他の一例である。ＦＭラジオ放送処理部１０ｂは、アンテナ２ｂを介して、制限部１９からの指令に応じた所定の周波数チャネルのＦＭラジオ放送の信号を受信し、所定の処理を行い、当該ＦＭラジオ放送に係る再生信号を生成し、選択部１１に出力する。ＦＭラジオ放送処理部１０ｂは、ＦＭラジオ放送処理部１０ｂは、例えば、不図示の検波部及び復調部等を備える。検波部は、アンテナ２ｂから入力された信号を受け、当該信号に対して検波処理を行うことにより検波信号を生成し、検波信号を復調部に出力する。復調部は、検波部から入力された検波信号を受け、当該検波信号に対して復調処理を行い、生成された再生信号を選択部１１に出力する。また、ＦＭラジオ放送処理部１０ｂは、受信するＦＭラジオ放送波の電界強度やＳＮ比等の受信品質に係る情報を受信品質情報として制御部１９に出力する。
【００１５】
ここで、一般に、ＡＭラジオ放送波及びＦＭラジオ放送波によって、同一の内容のラジオ番組を提供する、所謂サイマル放送が行われている。本実施形態においては、このように同一の内容の放送（サイマル放送）を行う放送波を、第１放送波及び第２放送波とする。第１放送波及び第２放送波はそれぞれ、ＡＭラジオ放送波及びＦＭラジオ放送波のいずれかであってよい。
【００１６】
選択部１１は、例えば、不図示のフレームメモリ、デジタル−アナログ変換器、比較器、ＤＳＰ（Ｄｉｇｉｔａｌ  Ｓｉｇｎａｌ  Ｐｒｏｃｅｓｓｏｒ）等を備える。選択部１１は、ＡＭラジオ放送処理部１０ａが出力した再生信号（ＡＭラジオ再生信号）、及びＦＭラジオ放送処理部１０ｂが出力した再生信号（ＦＭラジオ再生信号）を受ける。そして、選択部１１は、制御部１９からの指令に基づいて、ＡＭラジオ再生信号、及びＦＭラジオ再生信号のうち受信品質の良い方の信号を、オーディオ処理部１２へ出力する。
【００１７】
オーディオ処理部１２は、例えば、不図示のデジタル−アナログ変換部と、パワー増幅部とを備える。オーディオ処理部１２は、選択部１１により入力された信号に基づいて音声信号を生成し、該音声信号を増幅した上でスピーカ１３に出力する。スピーカ１３は、オーディオ処理部１２により入力された音声信号に基づいて音声を発生させる。
【００１８】
ＤＣＭ１４は、アンテナ２ｃに接続され、インターネット等の無線通信ネットワークを介して、ラジオ放送に係る各種の情報を提供する情報センターとの間でデータの授受を行う通信装置である。情報センター（外部装置）は、各車両から無線通信ネットワーク経由で各装置が実測・学習した受信品質情報に関するデータを集め、統合（マージ）する機能を有する。この情報は、例えば、位置の集合としてエリア（面）で表されたマップの形をしており、どのエリアではＡＭ放送波及びＦＭ放送波のいずれの受信品質が良いかを示している。なお、ここで言う統合（マージ）とは、例えば、位置ごとの平均化処理でもよく、或いは、位置ごとに学習度で重み付けした上での平均化処理でもよく、或いは、位置ごとに学習度が最も高い情報だけを集める言わば「良いところ取り」処理でもよい。また、ここで言う学習度とは、例えば、累積学習回数及び／又は最終更新日時からの経過時間などであり、その学習情報がどの程度実測により確認された内容であるかを示すパラメータである。
【００１９】
記憶部１５は、例えば、磁気テープ装置、磁気ディスク装置、及び光ディスク装置等で構成さる。記憶部１５は、制御部１９での処理に用いられるオペレーティングシステムプログラム、ドライバプログラム、アプリケーションプログラム、データ等を記憶する。記憶部１５は、例えば図２に示すような、位置情報に紐付けて、各位置において受信品質が良い変調方式を示した情報である受信品質情報を記憶していてもよい。図２には、所定の地域の地図に、受信品質が良い変調方式の情報が重ねて表示されている。例えば、「ＡＭ」と表示された箇所は、過去の実測結果に基づく学習の結果、当該箇所に対応する位置においてはＡＭラジオ放送の受信品質が良いことを示している。また、例えば、「ＦＭ」と表示された箇所は、過去の実測結果に基づく学習の結果、当該箇所に対応する位置においてはＦＭラジオ放送の受信品質が良いことを示している。ある位置について新たな実測結果が得られた場合には、それまでの実測結果及び当該新たな実測結果に基づいて、既に記憶されている情報の更新を行う。なお、受信品質情報は、記憶部１５に記憶されていなくてもよい。受信品質情報は、例えば、情報センター等に記憶されていてもよく、移動体用放送受信装置１は、通信ネットワークを介して当該情報センター等から受信品質情報を取得してもよい。
【００２０】
表示部１６は、例えば移動体用放送受信装置１のＬＣＤ（Ｌｉｑｕｉｄ  Ｃｒｙｓｔａｌ  Ｄｉｓｐｌａｙ）により構成され、制御部１９の制御の下で、各種の画面を表示する。
【００２１】
操作部１７は、例えば移動体用放送受信装置１の前面に設けられ、各種のボタン、方向キー、テンキー、若しくは表示部１６の上に配置されたタッチパネル等のハードウエア、または、表示部１６に当該ボタン、方向キー、テンキー等の機能を有するソフトウエアキーボードが仮想的に表示されたソフトウエアで構成される。また、操作部１７は、移動体用放送受信装置１とは異なるリモートコントローラ端末からの操作内容を含む操作信号を受信可能な受信部で構成されてもよい。
【００２２】
制御部１９は、移動体用放送受信装置１に内蔵されるＣＰＵ（Ｃｅｎｔｒａｌ  Ｐｒｏｃｅｓｓｉｎｇ  Ｕｎｉｔ）等で構成される。制御部１９は、記憶部１５に記憶されたプログラムにしたがって、移動体用放送受信装置１の各部の動作を統括的に制御する。制御部１９は、記憶部１５に記憶された受信品質情報を参照し、位置情報取得部１８により取得された位置情報において、ＡＭ放送波及びＦＭ放送波のいずれの受信品質が良いかを推定し、推定された放送波に対応する再生信号を選択するよう選択部１１に指令を出力する。すなわち、制御部１９は、放送処理部（ＡＭラジオ放送処理部１０ａ及びＦＭラジオ放送処理部１０ｂ）の周波数及びバンドを制御する。
【００２３】
位置情報取得部１８は、ＧＰＳ受信器及び／又はジャイロを含み、アンテナ２ｄを介して、通信ネットワーク上のナビゲーションシステムから、自車両の位置情報を取得する。当該位置情報は、道路を識別するための道路情報を含んでもよい。
【００２４】
（２）移動体用放送受信装置１の動作
次に、図３を用いて、移動体用放送受信装置１の動作について説明する。この動作フローは、予め記憶部１５に記憶されているプログラムに基づいて、主に制御部１９により、移動体用放送受信装置１の各要素が協働して実行される。
【００２５】
（ステップＳ１０１）
まず、ユーザが操作部１７を操作することにより、特定の放送局が放送するラジオ番組の視聴を指定する所謂プリセット操作を行うと、制御部１９は、当該プリセット操作を受け付ける。より具体的には、ユーザは、プリセット操作として、ラジオ放送の種別（ＡＭラジオ放送又はＦＭラジオ放送）、所望の放送局の周波数チャネル等を入力する。
【００２６】
（ステップＳ１０２）
次に、制御部１９は、上記プリセット操作に係るユーザが選択したラジオ放送に応じて、ＡＭラジオ放送処理部１０ａ又はＦＭラジオ放送処理部１０ｂを制御することにより、ユーザが選択した放送局に係る周波数チャネルに対して受信処理を行い、再生信号を生成させる。更に、制御部１９は、選択部１１に対して、ユーザが選択したラジオ放送に応じて、ＡＭラジオ再生信号及びＦＭラジオ再生信号のいずれかをオーディオ処理部１２へ出力させる指令を出力する。
【００２７】
（ステップＳ１０３）
次に、位置情報取得部１８は、位置情報及び道路情報を取得する。
【００２８】
（ステップＳ１０４）
次に、制御部１９は、位置情報に基づいて、車両が移動したか否かを判定する。車両が移動していないと判定された場合（ステップＳ１０３；Ｎｏ）、ステップＳ１０３に戻る。
【００２９】
（ステップＳ１０５）
車両が移動したと判定された場合（ステップＳ１０３；Ｙｅｓ）、制御部１９は、記憶部１５に記憶された受信品質情報を参照し、ステップＳ１０２で取得した位置情報における変調方式の種類を取得する。なお、制御部１９は、通信ネットワークを介して情報センター等から受信品質情報を取得し、当該受信品質情報を参照し、ステップＳ１０２で取得した位置情報における変調方式の種類を取得してもよい。
【００３０】
（ステップＳ１０６）
次に、制御部１９は、選択部１１が選択している現在の変調方式の種類と、ステップＳ１０５で取得した変調方式の種類とが同一であるか否かを判定する。現在の変調方式の種類と、取得した変調方式の種類とが同一であると判定された場合（ステップＳ１０５；Ｙｅｓ）、ステップＳ１０７に進む。
【００３１】
（ステップＳ１０７）
現在の変調方式の種類と、取得した変調方式の種類とが同一でないと判定された場合（ステップＳ１０５；Ｎｏ）、制御部１９は、選択部１１に、取得した変調方式の種類に係る再生信号を選択するための指令を出力する。以上で、動作フローが終了する。
【００３２】
本実施形態では、移動体用放送受信装置１は、移動体に搭載された移動体用放送受信装置であって、第１放送波の受信処理を行うことにより第１再生信号を生成する第１放送波処理部１０ａと、第１放送波と同一の内容の第２放送波の受信処理を行うことにより第２再生信号を生成する第２放送処理部１０ｂと、位置情報と、当該位置における第１放送波の受信品質及び第２放送波の受信品質のうち受信品質の良い方とを予め関連付けた受信品質情報を参照し、取得された位置情報に対応する第１放送波の受信品質及び第２放送波の受信品質を取得する受信品質情報取得部２２と、第１放送波の受信品質及び第２放送波の受信品質のうち、受信品質の良い方に係る再生信号を選択する選択部１１と、選択部１１により選択された一の再生信号に係る音声を再生する再生部と、を備える。当該構成により、サイマル放送を行う放送波の受信品質を検出せずとも、過去の受信品質の実測値から現在位置や移動先の受信品質を推定し、推定結果に基づいて、受信する周波数やバンドを制御することが可能となる。したがって、速やかに放送波を切り替えることが可能となる。
【００３３】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【符号の説明】
【００３４】
１…移動体用放送受信装置、２ａ、２ｂ、２ｃ、２ｄ…アンテナ、１０ａ…ＡＭラジオ放送処理部、１０ｂ…ＦＭラジオ放送処理部、１１…選択部、１２…オーディオ処理部、１３…スピーカ、１４…ＤＣＭ、１５…記憶部、１６…表示部、１７…操作部、１８…位置情報取得部、１９…制御部
【図１】
2019121964.tif 000003
【図２】
2019121964.tif 000004
【図３】
2019121964.tif 000005